(57)【特許請求の範囲】
【請求項１】
燃料供給管路に配設される元電磁弁と、
該燃料供給管路中に配設される開閉弁と、
該開閉弁を開閉操作するモータ式駆動機構と、
前記燃料供給管路を介して燃料が供給され、点火器により点火して燃焼する燃焼器と、
該燃焼器の燃焼状態を検知する燃焼状態検出手段と、
前記開閉弁の開・閉位置を検出する弁位置検出手段と、
点火が指示されると、前記弁位置検出手段が前記開閉弁の開位置を検出するまでモータに通電するとともに、前記元電磁弁に通電し、
又、消火が指示されると、前記元電磁弁への通電を停止するとともに、前記燃焼状態検出手段が消火を検知すると、前記弁位置検出手段が前記開閉弁の閉位置を検出するまで前記モータに通電し、
消火が指示されてから所定時間が経過しても前記燃焼状態検出手段が消火を検知しない場合には、前記元電磁弁が故障していると判断して、前記弁位置検出手段が前記開閉弁の閉位置を検出するまで前記モータに通電する制御器とを有する燃焼装置。
【請求項２】
前記元電磁弁の故障を前記制御器が検知すると報知する報知手段を設けた請求項１記載の燃焼装置。
【発明の詳細な説明】
【０００１】
【発明の属する技術分野】
本発明は、風呂釜等に好適な燃焼装置に関する。
【０００２】
【従来の技術】
ガス管中に配設される元電磁弁と、副ガス路及び主ガス路に配設される第１、第２開閉弁と、摘みの点火位置で前記第１開閉弁を開弁状態にするとともに前記元電磁弁を強制開弁する操作機構と、パイロットバーナに点火する圧電式の点火器と、摘みの燃焼位置で第２開閉弁が開きガス管から主ガス管を介してガスが供給されパイロットバーナにより点火して燃焼するメインバーナと、該メインバーナにより加熱され、浴槽内の水を昇温させる熱交換器と、パイロットバーナの燃焼炎により熱起電力を発生し、該熱起電力により前記元電磁弁を開弁保持する熱電対とを有するガス風呂釜が従来より知られている（先行技術文献情報なし）。
【０００３】
【発明が解決しようとする課題】
上記従来のガス風呂釜は、点火操作に手間がかかるという欠点がある為、発明者らは、下記に示す改良形のガス風呂釜を試作し検討した。
【０００４】
改良形のガス風呂釜は、ガス管から分岐し、メインバーナ、パイロットバーナに、夫々、ガスを供給する主ガス管、副ガス管と、前記ガス管の途中に配設される電池電磁弁と、前記主ガス管、副ガス管の途中に配設されるメインバルブ、パイロットバルブと、モータの回転により、上記各バルブを開閉操作するモータ式駆動機構と、前記パイロットバーナに点火する為の点火器と、前記パイロットバーナの燃焼状態を検知する燃焼状態検出手段と、各バルブの開・閉位置を検出するバルブ位置検出手段と、点火が指示されると、前記バルブ位置検出手段が前記パイロットバルブの開位置を検出するまでモータに通電するとともに、前記電池電磁弁に通電し、前記パイロットバーナの燃焼を検知すると前記メインバルブの開位置を検出するまで前記モータに通電し、又、消火が指示されると、前記電池電磁弁への通電を停止するとともに、前記バルブ位置検出手段が各バルブの閉位置を検出するまで前記モータに通電する制御器とを有する。
【０００５】
上記改良形のガス風呂釜において、電池電磁弁が正常ならば、消火指示により前記電池電磁弁への通電が停止すると閉弁状態になる。しかし、固着等により、電池電磁弁が開弁状態で故障する可能性もあり、この場合、ガス管路は、メインバルブやパイロットバルブにより遮断される状態となる。
【０００６】
本発明の第１の目的は、元電磁弁が開弁状態で故障した場合には、燃焼器を確実に消火できる燃焼装置の提供にある。
本発明の第２の目的は、元電磁弁が正常であるか否かの機能確認ができる燃焼装置の提供にある。
【０００７】
【課題を解決するための手段】
上記課題を解決する為、本発明は、以下の構成を採用した。
（１）燃料供給管路に配設される元電磁弁と、該燃料供給管路中に配設される開閉弁と、該開閉弁を開閉操作するモータ式駆動機構と、前記燃料供給管路を介して燃料が供給され、点火器により点火して燃焼する燃焼器と、該燃焼器の燃焼状態を検知する燃焼状態検出手段と、前記開閉弁の開・閉位置を検出する弁位置検出手段と、点火が指示されると、前記弁位置検出手段が前記開閉弁の開位置を検出するまでモータに通電するとともに、前記元電磁弁に通電し、又、消火が指示されると、前記元電磁弁への通電を停止するとともに、前記燃焼状態検出手段が消火を検知すると前記弁位置検出手段が前記開閉弁の閉位置を検出するまで前記モータに通電し、消火が指示されてから所定時間が経過しても前記燃焼状態検出手段が消火を検知しない場合には、前記元電磁弁が故障していると判断して、前記弁位置検出手段が前記開閉弁の閉位置を検出するまで前記モータに通電する制御器とを有する。
【０００８】
（２）上記(1) の構成を有し、前記元電磁弁の故障を前記制御器が検知すると報知する報知手段を設けた。
【０００９】
【作用】
〔請求項１について〕
点火が指示されると、制御器は、弁位置検出手段が開閉弁の開位置を検出するまでモータに通電するとともに、元電磁弁に通電する。
これにより、元電磁弁及び開閉弁が開弁状態になり、燃焼器は燃料供給管路を介して燃料が供給され、点火器の作動により点火して燃焼を開始する。
【００１０】
消火が指示されると、制御器は元電磁弁への通電を停止するとともに、燃焼状態検出手段が消火を検知すると、弁位置検出手段が開閉弁の閉位置を検出するまでモータに通電する。これにより、元電磁弁及び開閉弁が共に閉弁する｛元電磁弁が正常の場合｝。
【００１１】
しかし、元電磁弁が開弁状態で故障した場合は、消火が指示され、元電磁弁への通電が停止されても元電磁弁が開弁状態を維持するので燃焼器は燃焼を継続する。そこで、所定時間が経過しても燃焼状態検出手段が消火状態を検知しない場合には、元電磁弁の故障と判断する。尚、故障と判断した後は、弁位置検出手段が開閉弁の閉位置を検出するまでモータに通電するので開閉弁が閉弁し、燃焼器は消火する。
【００１２】
〔請求項２について〕
元電磁弁が故障していると制御器が判断した場合には報知手段が報知する。
【００１３】
【発明の効果】
〔請求項１について〕
消火が指示されると、制御器は、燃焼状態検出手段が燃焼器の消火｛元電磁弁への通電停止により元電磁弁が閉弁する｝を検知してからモータに通電して開閉弁を閉弁駆動する構成である。
【００１４】
この為、元電磁弁が正常である｛消火が指示されると燃焼器が消火する｝か開弁ロック故障している｛消火が指示されても燃焼器が消火しない｝かをチェックする事ができる。
尚、元電磁弁が開弁ロック故障している場合は、消火が指示されてから所定時間経過後に開閉弁がモータによって閉弁状態になり消火するので問題がない。
【００１５】
〔請求項２について〕
元電磁弁が故障していると制御器が判断した場合には報知手段が報知する構成であるので、燃焼器が燃焼しているか否かが容易に判らない構造の燃焼装置であっても、元電磁弁が故障しているか否かが容易に判る。
【００１６】
【発明の実施の形態】
本発明の一実施例（請求項１、２に対応）を図１〜図８に基づいて説明する。
図１、図２に示す様に、屋外設置用のガス風呂釜Ａは、ガス管１から分岐しメインバーナ１１、パイロットバーナ１２にガスを供給する主ガス管１１１、副ガス管１１２と、ガス管１中に配設される電池電磁弁２と、主ガス管１１１及び副ガス管１１２中に配設されるメインバルブ３及びパイロットバルブ４と、ギアドモータ５１の回転により、メインバルブ３及びパイロットバルブ４を開閉操作するモータ式駆動機構５と、パイロットバーナ１２を点火する為の電極３１と、パイロットバーナ１２の点・消火を検知するサーモカップル３２と、各バルブの開・閉位置｛ギアドモータ５１の回転位置｝を検出するバルブ位置検出機構６と、マイクロコンピュータ７１を有する電装ユニット７とを有する。又、８は電装ユニット７に接続線８１により繋がれるリモコン、９１は熱交換器、９２は排気筒、９３は乾電池、１１３はガス圧を一定にするためのガバナである。
【００１７】
メインバーナ１１は、ブンゼン燃焼式（１２０００ｋｃａｌ／ｈ）であり、浴槽の水が通過する熱交換器９１の下方に複数配設されて、熱交換器９１を加熱する。
パイロットバーナ１２は、メインバーナ１１を点火させるためのものである。
【００１８】
電池電磁弁２は、乾電池９３（単一×２本）の起電力（３Ｖ）で作動する電磁弁であり、電池電磁弁駆動回路７２を介して吸引電流（２３０ｍＡ×０．３秒）が流されて吸着し、吸着後、保持電流（１．６ｍＡ）により保持される。
【００１９】
メインバルブ３、パイロットバルブ４は、モータ式駆動機構５に連設され、後述するカムの回転によりロッドが押圧・押圧解除され、図３に示す各カムの回転位置で開弁・閉弁する。
【００２０】
モータ式駆動機構５は、ギアドモータ５１、ギアドモータ５１の回転を減速する減速歯車群、減速歯車群により減速回転するカム等により構成され、ギアドモータ５１の回転により、図３に示す各カムの回転位置でメインバルブ３及びパイロットバルブ４を開弁・閉弁する。尚、ギアドモータ５１はモータ駆動回路７５を介してマイクロコンピュータ７１により制御される。
【００２１】
電極３１は、点火タイミング時にイグナイタ回路７３により高電圧が印加され、スパーク放電する。
サーモカップル３２は、燃焼炎に晒されて熱起電力を発生し、該熱起電力は燃焼状態検出回路７４を介してマイクロコンピュータ７１に入力される。
【００２２】
バルブ位置検出機構６は、上記カムに形成された二組の凹溝と、これら凹溝にバネ片を弾着させたマイクロスイッチＭＳ１、ＭＳ２とにより構成される。尚、カムの回転位置によりマイクロスイッチＭＳ１、ＭＳ２は、図３に示す様にオン・オフする。
【００２３】
電装ユニット７は、マイクロコンピュータ７１、電池電磁弁駆動回路７２、イグナイタ回路７３、燃焼状態検出回路７４、タイマー回路７４１、モータ駆動回路７５、処理回路７６、電源回路７７、分圧回路７８、及びＬＥＤ駆動回路７９を具備する。
【００２４】
電池電磁弁駆動回路７２は、マイクロコンピュータ７１の指示により、図４、図５に示すタイムチャートに示す様に、電池電磁弁２に、吸着電流、保持電流を流す。
イグナイタ回路７３は、マイクロコンピュータ７１の指示により、図４、図５に示すタイムチャートに示す期間、電極３１に高電圧を印加する。
タイマー回路７４１は、各時定数を有し、タイムアップすると、電池電磁弁駆動回路７２に、電池電磁弁２の保持停止等を指示する。
【００２５】
モータ駆動回路７５は、マイクロコンピュータ７１の指示により、図４、図５に示すタイムチャートに示す様にギアドモータ５１に通電する。
処理回路７６は、マイクロスイッチＭＳ１、ＭＳ２の接点状態を、Ｈｉ、Ｌｏレベルに変換し、マイクロコンピュータ７１に出力する。
【００２６】
電源回路７７は、電池電圧が低下しても出力電圧がＤＣ３Ｖを維持する昇圧形安定化回路や、電源を遮断する遮断回路等を有する。
分圧回路７８は、タイマーボリューム８２の抵抗値に対応する分圧電圧を出力し、該分圧出力をマイクロコンピュータ７１に入力する。尚、タイマーボリューム８２の抵抗値に応じて、燃焼タイマーＴｎのタイマー時間がマイクロコンピュータ７１により０分〜８０分に決定される。
【００２７】
ＬＥＤ駆動回路７９は、マイクロコンピュータ７１の指示により、ＬＥＤ８３、８４をパルス駆動し、図４、図５に示す様に、ＬＥＤ８３、８４を点灯、消灯、又は所定タイミングで点滅させる。
【００２８】
マイクロコンピュータ７１は、電源回路７７、分圧回路７８、処理回路７６、及び燃焼状態検出回路７４の各出力に基づき、図６〜図８に示す様に動作が行われる様に、ＬＥＤ駆動回路７９、イグナイタ回路７３、電池電磁弁駆動回路７２、モータ駆動回路７５に指示する。
【００２９】
リモコン８は、８０分迄の燃焼時間を設定するタイマーボリューム８２（２０ＫΩ）、電池確認用のＬＥＤ８３（緑色発光）、燃焼確認用のＬＥＤ８４（赤色発光）、点火又は消火を指示する点火スイッチ８５（常開形の押ボタンスイッチ）により構成される。
【００３０】
次に、ガス風呂釜Ａの作動を、図６〜図８に示すフローチャート、図３〜図５のタイムチャート等に基づいて説明する。尚、図３、図４は、夫々、電池電磁弁２の正常時、図５は開弁ロック故障時におけるタイマ消火（又は手動消火）のタイムチャートである。
【００３１】
燃焼タイマーＴｎが３分以上となる様に、タイマーボリューム８２の摘み８２１を回す｛図３の状態８６１｝。尚、燃焼タイマーＴｎが３分未満の場合は、燃焼タイマーＴｎの設定がないものと見なす。
ステップｓ１で、マイクロコンピュータ７１は、点火スイッチ８５が押圧操作されたか否か電源回路７７からの信号に基づいて判別し、押圧操作を検知した場合｛（ＹＥＳ）；図４、図５の“点火操作”｝はステップｓ２に進む。
ステップｓ２で、マイクロコンピュータ７１は、燃焼タイマーＴｎが３分以上であるか否か判別し、Ｔｎ≧３分の場合（ＹＥＳ）はステップｓ３に進み、Ｔｎ＜３分の場合（ＮＯ）はステップｓ１に戻る。
【００３２】
ステップｓ３で、マイクロコンピュータ７１は、イグナイタ回路７３を作動させ、ステップｓ４に進む。
【００３３】
ステップｓ４で、マイクロコンピュータ７１は、ギアドモータ５１が回転する様にモータ駆動回路７５に指示し、ステップｓ５に進む。これにより、パイロットバルブ４が閉→開になる。
【００３４】
ステップｓ５で、マイクロコンピュータ７１は、パイロットバルブ４が開位置になったか否か、マイクロスイッチＭＳ１、ＭＳ２の接点状態を処理回路７６を介して判別し、開位置になっていると判別した場合（ＹＥＳ）はステップｓ６に進む。
【００３５】
ステップｓ６で、マイクロコンピュータ７１は、ギアドモータ５１の停止をモータ駆動回路７５に指示してギアドモータ５１を停止させ｛図３の状態８６２｝、ステップｓ７に進む。
【００３６】
ステップｓ７で、マイクロコンピュータ７１は、電池電磁弁２に吸引電流（２３０ｍＡ×０．３秒間）を流し、吸引後、保持電流（１．６ｍＡ）が継続して流れる様に電池電磁弁駆動回路７２に指示する。
ステップｓ８で、マイクロコンピュータ７１は、パイロットバーナ１２が着火しているか否かを、燃焼状態検出回路７４を介してサーモカップル３２の熱起電力が所定値以上であるか否かにより判別し、着火を検知した場合｛（ＹＥＳ）；図４、図５の“ＴＣ着火検知”｝はステップｓ１０に進み、検知しない場合（ＮＯ）はステップｓ９に進む。
【００３７】
ステップｓ９で、イグナイタ回路７３の作動から２５秒経過したか否か判別し、経過した場合（ＹＥＳ）はステップｓ２７に進み、経過していない場合（ＮＯ）はステップｓ８に戻る。
【００３８】
ステップｓ１０で、マイクロコンピュータ７１は、イグナイタ回路７３を停止させ、ステップｓ１１に進む。
ステップｓ１１で、マイクロコンピュータ７１は、ギアドモータ５１が回転する様にモータ駆動回路に指示し、ステップｓ１２に進む。これにより、メインバルブ３が閉→開になる。
【００３９】
ステップｓ１２で、マイクロコンピュータ７１は、メインバルブ３が開位置になったか否か、マイクロスイッチＭＳ１、ＭＳ２の接点状態を処理回路７６を介して判別し、開位置になっていると判別した場合（ＹＥＳ）はステップｓ１３に進む。
【００４０】
ステップｓ１３で、マイクロコンピュータ７１は、ギアドモータ５１の停止をモータ駆動回路７５に指示してギアドモータ５１を停止させ｛図３の状態８６３；図４、図５の“ＭＶ全開”｝、ステップｓ１４に進む。
【００４１】
ステップｓ１４で、メインバーナ１１による燃焼を継続し、ステップｓ１５に進む。
ステップｓ１５で、燃焼タイマーＴｎが０分であるか否か判別し、Ｔｎ＝０分の場合｛（ＹＥＳ）；図４、図５の“消火指示”｝はステップｓ１６に進み、Ｔｎ＞０の場合はステップｓ１４に戻ってメインバーナ１１による燃焼を継続する。尚、燃焼タイマーＴｎは時間経過により０分になる以外に、タイマーボリューム８２を左端に回し切っても０分となる。
【００４２】
ステップｓ１６で、マイクロコンピュータ７１は、電池電磁弁２への保持電流が遮断される様に電池電磁弁駆動回路７２に指示し、ステップｓ１７に進む。これにより、電池電磁弁２が閉弁する（正常時）。
【００４３】
ステップｓ１７で、マイクロコンピュータ７１は、パイロットバーナ１２が消火しているか否かを、燃焼状態検出回路７４を介してサーモカップル３２の熱起電力が所定値未満であるか否かにより判別し、検知しない場合（ＮＯ）はステップｓ１８に進み、消火を検知した場合｛（ＹＥＳ）；図４の“ＴＣ消火検知”｝はステップｓ２３に進む。
【００４４】
ステップｓ１８で、電池電磁弁２への保持電流遮断から１２０秒が経過したか否か判別し、経過していない場合（ＮＯ）はステップｓ１７に戻り、経過している場合（ＹＥＳ）はステップｓ１９に進む。尚、１２０秒は、電池電磁弁２が閉弁して消火してもサーモカップル３２の熱起電力が所定値未満になるのに数秒〜数十秒かかるため、誤判別防止のため、余裕をもって決めてある。
【００４５】
ステップｓ１９で、マイクロコンピュータ７１は、ギアドモータ５１が回転する様にモータ駆動回路７５に指示し、ステップｓ２０に進む。これにより、メインバルブ３が開→閉になり、パイロットバルブ４も遅れて開→閉になる。
【００４６】
ステップｓ２０で、マイクロコンピュータ７１は、メインバルブ３及びパイロットバルブ４が共に閉位置になったか否か、マイクロスイッチＭＳ１、ＭＳ２の接点状態を処理回路７６を介して判別し、共に閉位置になっていると判別した場合（ＹＥＳ）はステップｓ２１に進む。
【００４７】
ステップｓ２１で、マイクロコンピュータ７１は、ギアドモータ５１の停止をモータ駆動回路７５に指示してギアドモータ５１を停止させ、ステップｓ２２に進む。
【００４８】
ステップｓ２２で、マイクロコンピュータ７１は、電池電磁弁２の故障を、駆動回路７９を介してＬＥＤ８３、８４を同期点滅（１秒間点灯- １秒間消灯）させる事により報知する｛乾電池９３が切れるまで継続｝。尚、電池電磁弁２の故障が検知されると点火スイッチ８５を受け付けなくなる。
【００４９】
ステップｓ２３で、マイクロコンピュータ７１は、ギアドモータ５１が回転する様にモータ駆動回路に指示し、ステップｓ２４に進む。これにより、メインバルブ３が開→閉になり、パイロットバルブ４も遅れて開→閉になる。
【００５０】
ステップｓ２４で、マイクロコンピュータ７１は、メインバルブ３及びパイロット４が共に閉位置になったか否か、マイクロスイッチＭＳ１、ＭＳ２の接点状態を処理回路７６を介して判別し、共に閉位置になっていると判別した場合（ＹＥＳ）はステップｓ２５に進む。
【００５１】
ステップｓ２５で、マイクロコンピュータ７１は、ギアドモータ５１の停止をモータ駆動回路７５に指示してギアドモータ５１を停止させ｛図３の状態８６４；図４の“停止”｝、ステップｓ２６に進む。
ステップｓ２６で、マイクロコンピュータ７１は、電源回路７７に指示して電源を遮断する。
【００５２】
ステップｓ２７で、マイクロコンピュータ７１は、電池電磁弁２への保持電流が遮断される様に電池電磁弁駆動回路７２に指示し、ステップｓ２８に進む。これにより、電池電磁弁２が閉弁する。
ステップｓ２８で、マイクロコンピュータ７１は、イグナイタ回路７３を停止させ、ステップｓ２９に進む。
【００５３】
ステップｓ２９で、マイクロコンピュータ７１は、ギアドモータ５１が回転する様にモータ駆動回路７５に指示し、ステップｓ３０に進む。これにより、メインバルブ３が開→閉になり、パイロットバルブ４も遅れて開→閉になる。
【００５４】
ステップｓ３０で、マイクロコンピュータ７１は、メインバルブ３及びパイロット４が共に閉位置になったか否か、マイクロスイッチＭＳ１、ＭＳ２の接点状態を処理回路７６を介して判別し、共に閉位置になっていると判別した場合（ＹＥＳ）はステップｓ３１に進む。
【００５５】
ステップｓ３１で、マイクロコンピュータ７１は、ギアドモータ５１の停止をモータ駆動回路７５に指示してギアドモータ５１を停止させ、ステップｓ３２に進む。
ステップｓ３２で、マイクロコンピュータ７１は、電源回路７７に指示して電源を遮断する。
【００５６】
次に、本実施例のガス風呂釜Ａの利点を述べる。
〔ア〕燃焼タイマーＴｎが０分となって消火が指示されると、マイクロコンピュータ７１は、電池電磁弁２への保持電流の遮断を最初に指示し（ステップｓ１６）、これにより電池電磁弁２が閉弁する（正常の場合）か否（開弁ロック故障の場合）かの電磁弁メカチェックを、ステップｓ１７とステップｓ１８により実施している。
【００５７】
そして、開弁ロック故障であると判別された場合｛ステップｓ１８でＹＥＳの場合｝は、パイロットバーナ１２及びメインバーナ１１の消火後｛ギアドモータ５１への通電指示により、パイロットバルブ４及びメインバルブ３が閉弁する｝に、電池電磁弁２の故障を報知する（ステップｓ２２）構成である。
この為、使用者は、消火指示時にガス風呂釜Ａの近傍から離れていても、電池電磁弁２の故障発生を容易に知る事ができる｛図５の“報知”以降｝。
【００５８】
〔イ〕又、電池電磁弁２が故障すると、点火スイッチ８５を受け付けなくなるので、使用者は、必ず、サービスセンターへ修理を依頼する。この為、電池電磁弁２が故障状態でガス風呂釜Ａが使用されない。
【００５９】
〔ウ〕電池電磁弁２が故障した場合には、ＬＥＤ８３、８４の同期点滅を行う構成である。このため、異常報知用の素子を新たに設ける必要が無いとともに、注意をひくので使用者に強く故障を報知する事ができる。
【００６０】
本発明は、上記実施例以外に、次の実施態様を含む。
ａ．燃焼装置が、元止式のガス湯沸器や、ガスこんろ等の場合は、燃焼器の燃焼状態が、燃焼音や燃焼炎により確認できるので、請求項２の報知手段は必ずしも必要では無い。
【００６１】
ｂ．燃焼器がパイロットバーナを有さず、ダイレクト着火方式であっても良い｛請求項１に対応｝。
ｃ．電池電磁弁２の異常に伴う異常報知は、その他、ブザー、合成音声、図形表示等でも良い。
ｄ．燃料はガス以外に、石油等の液体燃料であっても良い。尚、燃料がガスの場合が特に効果がある。
【図面の簡単な説明】
【図１】  本発明の一実施例に係るガス風呂釜の構成を示す説明図である。
【図２】そのガス風呂のブロック図である。
【図３】そのガス風呂において、カムの回転位置と、バルブ位置、マイクロスイッチ等との関係を示す状態説明図である。
【図４】そのガス風呂において、経過時間に伴う各部材の作動を示すタイムチャートである｛電池電磁弁の正常時｝。
【図５】そのガス風呂において、経過時間に伴う各部材の作動を示すタイムチャートである｛電池電磁弁の故障時｝。
【図６】そのガス風呂釜の作動を示すフローチャートである。
【図７】そのガス風呂釜の作動を示すフローチャートである。
【図８】そのガス風呂釜の作動を示すフローチャートである。
【符号の説明】
１  ガス管（燃料供給管路）
２  電池電磁弁（元電磁弁）
３  メインバルブ（開閉弁）
４  パイロットバルブ（開閉弁）
５  モータ式駆動機構
６  バルブ位置検出機構（弁位置検出手段）
７  電装ユニット（制御器）
１１  メインバーナ（燃焼器）
１２  パイロットバーナ（燃焼器）
３１  電極（点火器）
３２  サーモカップル（燃焼状態検出手段）
５１  ギアドモータ
７３  イグナイタ回路（点火器）
７４  燃焼状態検出回路（燃焼状態検出手段）
１１１  主ガス管
１１２  副ガス管
【図１】
0003650389.tif 000002
【図２】
0003650389.tif 000003
【図３】
0003650389.tif 000004
【図４】
0003650389.tif 000005
【図５】
0003650389.tif 000006
【図６】
0003650389.tif 000007
【図７】
0003650389.tif 000008
【図８】
0003650389.tif 000009